(57)【特許請求の範囲】
【請求項１】
金属材を加熱するための、予熱帯、加熱帯、均熱帯からなる加熱炉において、前記加熱帯の一部に排ガスの熱を蓄えて燃焼用空気の予熱に利用する蓄熱式バーナを設置し、その他の加熱帯に通常バーナを設置するとともに、蓄熱式バーナ設置箇所での燃焼負荷が通常バーナ設置箇所での燃焼負荷よりも大きい加熱パターンでは、蓄熱式バーナを単独で使用し、通常バーナ設置箇所での燃焼負荷が蓄熱式バーナ設置箇所での燃焼負荷よりも大きい加熱パターンでは、前記蓄熱式バーナで予熱された燃焼用空気を、前記通常バーナの燃焼用空気に混合させることにより、加熱帯および加熱炉全体での燃料原単位を低減させることを特徴とする金属材の加熱方法。
【発明の詳細な説明】
【技術分野】
【０００１】
予熱帯、加熱帯、均熱帯からなる加熱炉（連続式加熱炉）において、金属材（例えば、鋼スラブ）を熱効率良く加熱するための金属材の加熱方法に関するものである。
【背景技術】
【０００２】
予熱帯、加熱帯、均熱帯からなる加熱炉（連続式加熱炉）では、通常バーナと蓄熱式バーナとが併設されていることが多い。ちなみに、蓄熱式バーナは、蓄熱体を備えて、燃焼と排ガス吸引を交互に繰り返す交番燃焼式バーナである。バーナの熱効率を向上するには、燃料とともに供給する空気（燃焼用空気）の温度を上昇させることが重要である。蓄熱式バーナは、排ガスを吸引する際に蓄熱体に排ガスの熱を蓄積できて、この蓄積した熱を燃焼用空気の予熱に利用している。一方、通常バーナは、蓄熱体を備えておらず、交番燃焼を行わないバーナを意味している。
【０００３】
このように蓄熱式バーナが併設された連続式加熱炉において、これまで各種の加熱方法が提案されている。
【０００４】
例えば、特許文献１には、蓄熱式バーナの熱効率のよい配置箇所が記されている。また、特許文献２には、蓄熱式バーナに供給する燃料流量の最適化について記載されている。また、特許文献３では、蓄熱式バーナを用いた鋼片温度および炉温の制御方法について言及されている。
【先行技術文献】
【特許文献】
【０００５】
【特許文献１】特開２００１−０５９１１７号公報
【特許文献２】特開２００７−３０８７７７号公報
【特許文献３】特開平１１−３２３４３１号公報
【発明の概要】
【発明が解決しようとする課題】
【０００６】
しかし、前記特許文献１〜３等に記載された従来の技術においては、蓄熱式バーナと通常バーナとをそれぞれ独立して使用することが前提になっており、しかも、被加熱材（例えば、鋼スラブ）の材質や寸法などに基づいて定める加熱パターンによっては、熱効率の高い蓄熱式バーナ設置箇所での加熱を弱くし、熱効率の低い通常バーナ設置箇所での加熱を強くする必要もあって、連続式加熱炉全体でみると、必ずしも充分に熱効率を向上できていなかった。
【０００７】
例えば、図２は、従来の連続式加熱炉１０Ｂにおける加熱方法の一例を示すものである。図２に示すように、連続式加熱炉１０Ｂは、予熱帯１１、加熱帯１２、均熱帯１３からなっている。そして、加熱帯１２には、前段１２ａに蓄熱式バーナ２１（蓄熱式バーナ本体２１ａ、蓄熱体２１ｂ）が設置されているとともに、中段１２ｂと後段１２ｃに通常バーナ２２が設置されている。また、均熱帯１３には、通常バーナ２３が設置されている。
【０００８】
このような連続式加熱炉１０Ｂに装入された鋼スラブ１は、予熱帯１１、加熱帯１２、均熱帯１３を順次通過する間に、蓄熱式バーナ２１、通常バーナ２２、通常バーナ２３によって所定の温度に加熱される。そして、連続式加熱炉１０Ｂから抽出された鋼スラブ１は、ローラテーブル１９によって熱間圧延機（図示せず）に搬送される。
【０００９】
ここで、従来は、図２に示すように、予熱帯１１から煙道１８を経由して排出される燃焼排ガスの廃熱をレキュペレータ２９で回収して、通常バーナ２２へ供給される燃焼用空気の予熱に用いるとともに、燃焼と排ガス吸引を交互に繰り返す蓄熱式バーナ２１において、排ガス吸引で蓄熱体２１ｂに蓄えられた熱により予熱された燃焼用空気をその蓄熱式バーナ２１ごとの燃焼に用いることで、連続式加熱炉１０Ｂの熱効率向上が図られている。
【００１０】
しかし、前述したように、蓄熱式バーナ２１と通常バーナ２２とをそれぞれ独立して使用することが前提になっており、そのため、鋼スラブ１の材質や寸法などにより加熱パターンが異なり、加熱到達温度や昇温速度が異なると、例えば、熱効率の高い蓄熱式バーナ２１を設置した加熱帯１２の一部（ここでは、前段１２ａ）の昇温速度を低くして、熱効率の低い通常バーナ２２を設置した加熱帯１２の他部（ここでは、中段１２ｂ、後段１２ｃ）での昇温速度を高くする加熱パターンもあって、熱効率のよい蓄熱式バーナ２１の活用度合いが加熱パターンで変化してしまう。
【００１１】
そこで、蓄熱式バーナ２１をより熱効率の良い位置にその都度設置し直して変更したいが、バーナ交換改造時間や費用などが著しくかかって困難で現実的でない。
【００１２】
その結果、蓄熱式バーナ２１を併設した場合、蓄熱式バーナ２１単体では蓄熱効果によって熱効率を向上できても、加熱パターンによっては蓄熱式バーナ２１の活用度合いが小さくて、加熱帯１２全体および加熱炉１０Ｂ全体の熱効率が充分に向上されない問題があった。
【００１３】
本発明は、上記のような事情に鑑みてなされたものであり、予熱帯、加熱帯、均熱帯からなる加熱炉（連続式加熱炉）において、金属材（例えば、鋼スラブ）をより一層熱効率良く加熱することができる金属材の加熱方法を提供することを目的とするものである。
【課題を解決するための手段】
【００１４】
上記課題を解決するために、本発明者らは鋭意検討を行った結果、以下のような考えに至った。すなわち、本発明者らは、蓄熱式バーナと通常バーナとを併設した連続式加熱炉全体において、熱効率を常に高く得るには、蓄熱式バーナの蓄熱体において予熱された燃焼用空気について、通常バーナも含めて当該連続式加熱炉の中で最も燃焼負荷が大きいバーナへ振り分けるのが最良の方法であると考えた。しかし、蓄熱式バーナで予熱された空気を燃焼負荷の大きいバーナに振り分ける加熱パターンは、被加熱材（例えば、鋼スラブ）の材質や寸法により数が多いため、全てに対応するには配管及び弁の数が膨大となる。そこで、さらに検討を行い、設備費用を抑制しつつ、実現性の高い方法として、加熱帯の一部に設置された蓄熱式バーナにおいて予熱された燃焼用空気を振り分けて、加熱帯の他部に設置された通常バーナの燃焼用空気に混合させることを想到した。
【００１５】
上記のような着想に基づいて、本発明は以下のような特徴を有している。
【００１６】
［１］金属材を加熱するための、予熱帯、加熱帯、均熱帯からなる加熱炉において、前記加熱帯の一部に排ガスの熱を蓄えて燃焼用空気の予熱に利用する蓄熱式バーナを設置し、その他の加熱帯に通常バーナを設置するとともに、蓄熱式バーナ設置箇所での燃焼負荷が通常バーナ設置箇所での燃焼負荷よりも大きい加熱パターンでは、蓄熱式バーナを単独で使用し、通常バーナ設置箇所での燃焼負荷が蓄熱式バーナ設置箇所での燃焼負荷よりも大きい加熱パターンでは、前記蓄熱式バーナで予熱された燃焼用空気を、前記通常バーナの燃焼用空気に混合させることを特徴とする金属材の加熱方法。
【発明の効果】
【００１７】
本発明においては、熱効率の高い蓄熱式バーナを設置した加熱帯の部分の昇温速度を低くして、熱効率の低い通常バーナを設置した加熱帯の他部の昇温速度を高くする加熱パターンなど、加熱パターンによって熱効率のよい蓄熱式バーナの活用度合いが少なくなった場合においても、金属材（例えば、鋼スラブ）の加熱炉の加熱帯の一部に設置された蓄熱式バーナの蓄熱体で燃焼用空気を予熱して、その予熱された燃焼用空気を加熱帯の他部に設置された通常バーナに供給する燃焼用空気に混合させて、通常バーナの燃焼用空気の温度を上昇させることにより、熱効率を向上させて有利な加熱が可能になり、加熱帯および加熱炉全体での燃料原単位が低減できて、熱効率を著しく向上させることができる。
【図面の簡単な説明】
【００１８】
【図１】本発明の一実施形態を示す図である。
【図２】従来技術を示す図である。
【発明を実施するための形態】
【００１９】
本発明の一実施形態を図面に基づいて説明する。
【００２０】
図１は、本発明の一実施形態に係る連続式加熱炉１０Ａを示すものである。図１に示すように、この実施形態に係る連続式加熱炉１０Ａの基本的構成は、前述の図２に示した従来の連続式加熱炉１０Ｂと同様である。すなわち、連続式加熱炉１０Ａは、予熱帯１１、加熱帯１２、均熱帯１３からなっている。そして、加熱帯１２には、前段１２ａに蓄熱式バーナ２１（蓄熱式バーナ本体２１ａ、蓄熱体２１ｂ）が設置されているとともに、中段１２ｂと後段１２ｃに通常バーナ２２が設置されている。また、均熱帯１３には、通常バーナ２３が設置されている。
【００２１】
この連続式加熱炉１０Ａに装入された鋼スラブ１は、予熱帯１１、加熱帯１２、均熱帯１３を順次通過する間に、蓄熱式バーナ２１、通常バーナ２２、通常バーナ２３によって所定の温度に加熱される。そして、連続式加熱炉１０Ａから抽出された鋼スラブ１は、ローラテーブル１９によって熱間圧延機（図示せず）に搬送される。
【００２２】
その際に、予熱帯１１から煙道１８を経由して排出される燃焼排ガスの廃熱をレキュペレータ２９で回収して、通常バーナ２２へ供給される燃焼用空気の予熱を行うとともに、燃焼と排ガス吸引を交互に繰り返す蓄熱式バーナ２１において、排ガス吸引で蓄熱体２１ｂに蓄えられた熱により予熱された燃焼用空気をその蓄熱式バーナ２１ごとの燃焼に用いている。
【００２３】
その上で、この実施形態においては、加熱帯１２の前段１２ａに設置された蓄熱式バーナ２１の蓄熱体２１ｂで燃焼用空気を予熱して、その予熱された燃焼用空気を、混合器２５によって、加熱帯１２の中段１２ｂと後段１２ｃに設置された通常バーナ２２の燃焼用空気に混合させて、レキュペレータ２９で予熱された燃焼用空気の温度をさらに上昇させることができるようになっている。
【００２４】
そして、蓄熱式バーナ２１の設置箇所（加熱帯１２の前段１２ａ）での燃焼負荷が最も大きい加熱パターンでは、蓄熱式バーナ２１を単独で使用し、通常バーナ２２の設置箇所（加熱帯１２の中段１２ｂ、後段１２ｃ）での燃焼負荷が最も大きい加熱パターンでは、蓄熱式バーナ２１で予熱された燃焼用空気を通常バーナ２２の燃焼用空気に混合させるようにしている。
【００２５】
これによって、この実施形態においては、熱効率の高い蓄熱式バーナ２１を設置した加熱帯１２の前段１２ａでの昇温速度を低くして、熱効率の低い通常バーナ２２を設置した加熱帯１２の中段１２ｂや後段１２ｃでの昇温速度を高くする加熱パターンなど、加熱パターンによって熱効率のよい蓄熱式バーナ２１の活用度合いが少なくなった場合においても、熱効率を向上させて有利な加熱が可能になり、加熱帯１２および連続式加熱炉１０Ａ全体での燃料原単位が低減できて、熱効率を著しく向上させることができる。
【００２６】
なお、このこの場合の蓄熱式バーナに供給し燃焼に用いる空気は蓄熱式バーナの側に蓄熱体とは別途に取り入れ口を設けて、蓄熱体を活用する場合と活用しない場合で切り換え可能にすると良い。
【実施例１】
【００２７】
本発明の実施例として、熱延工場の連続式加熱炉において鋼スラブの加熱を行った。
【００２８】
鋼スラブの寸法は、厚みが２００〜３００ｍｍ、幅が６００〜２８００ｍｍであり、加熱温度は、１１００〜１３００℃である。
【００２９】
そして、本発明例として、図１に示した本発明の一実施形態に基づいて鋼スラブの加熱を行った。一方、従来例として、図２に示した従来技術に基づいて鋼スラブの加熱を行った。
【００３０】
その結果、本発明例は、従来例に比較して、加熱帯の燃料原単位が約３０％向上した。
【符号の説明】
【００３１】
１  鋼スラブ
１０Ａ  連続式加熱炉
１０Ｂ  連続式加熱炉
１１  予熱帯
１２  加熱帯
１２ａ  加熱帯の前段
１２ｂ  加熱帯の中段
１２ｃ  加熱帯の後段
１３  均熱帯
１８  煙道
１９  ローラテーブル
２１  蓄熱式バーナ
２２  通常バーナ
２３  通常バーナ
２５  混合器
２９  レキュペレータ
【図１】
0005493981.tif 000002
【図２】
0005493981.tif 000003